(57)【要約】【課題】ゴム系材料からなる外被を採用しても、最終的に編組シールドが断線に至り難いフレキシブルケーブルを提供する。【解決手段】芯線１０１の外周に編組シールド１０４が設けられ、編組シールド１０４の周囲にテープ１０５を介してゴム系材料からなる外被１０６が押出被覆されてなるフレキシブルケーブル１００であって、第二テープ１０５は、フッ素樹脂からなるフレキシブルケーブル１００である。【選択図】図１
2017130407.tif 000002
【特許請求の範囲】
【請求項１】
芯線の外周に編組シールドが設けられ、前記編組シールドの周囲にテープを介してゴム系材料からなる外被が押出被覆されてなるフレキシブルケーブルであって、
前記テープは、フッ素樹脂からなる
ことを特徴とするフレキシブルケーブル。
【請求項２】
前記ゴム系材料は、ポリプロピレン樹脂を含有するゴムエラストマである
請求項１に記載のフレキシブルケーブル。
【請求項３】
前記フッ素樹脂は、ポリテトラフルオロエチレン樹脂である
請求項１又は２に記載のフレキシブルケーブル。
【発明の詳細な説明】
【技術分野】
【０００１】
本発明は、人の手で取り回されるフレキシブルケーブルに関する。
【背景技術】
【０００２】
例えば、医療の現場においては、医師や看護師等の医療従事者が手でケーブルを取り回す必要のある場面が幾つか存在する。例を挙げると、超音波診断を実施する際は、探触子を患部に宛がう時に医療従事者が手で探触子ケーブル（プローブケーブル）を取り回す必要があるし、内視鏡検査を実施する際は、内視鏡を体内に挿入する時に医療従事者が手で内視鏡ケーブルを取り回す必要がある。
【０００３】
故に、人の手でケーブルを取り回す必要のある場面においては、編組シールドの周囲にテープを介して外被を押出被覆してなるフレキシブルケーブルが使用されている。このうち、外被は、ポリウレタン樹脂、シリコーンゴム、シリコーンゴムとポリプロピレン樹脂との混合物、又はシリコーンゴムとポリスチレン樹脂との混合物等の柔軟性が高いゴム系材料からなる（例えば、特許文献１を参照）。
【先行技術文献】
【特許文献】
【０００４】
【特許文献１】特開平５−２０５５３７号公報
【発明の概要】
【発明が解決しようとする課題】
【０００５】
しかしながら、ポリウレタン樹脂、シリコーンゴム、シリコーンゴムとポリプロピレン樹脂との混合物、又はシリコーンゴムとポリスチレン樹脂との混合物等のゴム系材料からなる外被は表面がベタ付いており、編組シールドの周囲にテープを介して外被を押出被覆すると、外被がテープと密着して外被とテープとが一体化し易いため、フレキシブルケーブルを取り回す時に外被と共にテープが動いて編組シールドを擦り、最終的に編組シールドを断線に至らしめる虞がある。
【０００６】
従って、本発明は、ゴム系材料からなる外被を採用しても、最終的に編組シールドが断線に至り難いフレキシブルケーブルを提供することを目的としている。
【課題を解決するための手段】
【０００７】
本発明は、芯線の外周に編組シールドが設けられ、前記編組シールドの周囲にテープを介してゴム系材料からなる外被が押出被覆されてなるフレキシブルケーブルであって、前記テープは、フッ素樹脂からなるフレキシブルケーブルである。
【０００８】
前記ゴム系材料は、ポリプロピレン樹脂を含有するゴムエラストマであることが望ましい。
【０００９】
前記フッ素樹脂は、ポリテトラフルオロエチレン樹脂であることが望ましい。
【発明の効果】
【００１０】
本発明によれば、ゴム系材料からなる外被を採用しても、最終的に編組シールドが断線に至り難いフレキシブルケーブルを提供することができる。
【図面の簡単な説明】
【００１１】
【図１】本発明の実施の形態に係るフレキシブルケーブルの断面図である。
【発明を実施するための形態】
【００１２】
以下、本発明の実施の形態を添付図面に順って説明する。
【００１３】
図１に示す通り、本発明の実施の形態に係るフレキシブルケーブル１００は、例えば、複数本の芯線１０１を撚り合わせてなる撚線１０２と、撚線１０２の周囲に巻き付けられる第一テープ１０３と、第一テープ１０３の周囲に設けられる編組シールド１０４と、編組シールド１０４の周囲に巻き付けられる第二テープ１０５と、第二テープ１０５の周囲に設けられる外被１０６と、を備えている。
【００１４】
本発明の実施の形態に係るフレキシブルケーブル１００は、少なくとも編組シールド１０４の周囲に第二テープ１０５を介して外被１０６を押出被覆してなる。
【００１５】
このうち、外被１０６は、例えば、ポリプロピレン樹脂を含有するゴムエラストマであるゴム系材料からなる。ポリプロピレン樹脂を含有するゴムエラストマとしては、例えば、スチレンゴムとポリプロピレン樹脂との混合物であるラバロン（登録商標）が挙げられる。ラバロンは、柔軟性が高い材料であり、しかも耐熱性が高い材料であるため、ラバロンからなる外被１０６を採用することにより、外被１０６の柔軟性を確保しながら外被１０６の耐熱性を確保することができる。
【００１６】
第一テープ１０３は、フレキシブルケーブル１００を取り回す時に芯線１０１と編組シールド１０４とが擦れて芯線１０１が損傷したり編組シールド１０４が断線したりすることを抑制する役割を果たしている。第一テープ１０３は、ポリエチレンテレフタレート樹脂やフッ素樹脂等の機械的特性が高い材料からなる。
【００１７】
編組シールド１０４は、複数本の編組素線を相互に編み込んでなる。編組シールド１０４の内側に第一テープ１０３が設けられており、編組シールド１０４の外側に第二テープ１０５が設けられているため、フレキシブルケーブル１００を取り回す時に芯線１０１と編組シールド１０４とが擦れたり編組シールド１０４と外被１０６とが擦れたりして芯線１０１や外被１０６が損傷したり編組シールド１０４が断線したりすることが無い。
【００１８】
第二テープ１０５は、編組シールド１０４と外被１０６とが擦れて外被１０６が損傷したり編組シールド１０４が断線したりすることを抑制する役割だけで無く、編組シールド１０４の周囲に外被１０６を押出被覆する時に外被１０６が編組シールド１０４の網目に食い込んで外被１０６と編組シールド１０４とが一体化することを防止する役割も果たしている。
【００１９】
よって、外被１０６と編組シールド１０４とが一体化して編組シールド１０４が剛直化することが無いため、外被１０６の押出被覆に伴う編組シールド１０４の柔軟性の低下を防止することができ、結果的にフレキシブルケーブル１００の可撓性の低下を回避することができる。
【００２０】
第二テープ１０５は、外被１０６に対する滑性が高い材料からなる。外被１０６に対する滑性が高い材料としては、例えば、ポリテトラフルオロエチレン樹脂、テトラフルオロエチレン−ヘキサフルオロプロピレン共重合体樹脂、又はテトラフルオロエチレン−パーフルオロアルキルビニルエーテル共重合体樹脂等のフッ素樹脂が挙げられる。
【００２１】
外被１０６に対する滑性が高い材料からなる第二テープ１０５を採用することにより、フレキシブルケーブル１００を取り回す時に外被１０６が第二テープ１０５の表面を滑って動くため、外被１０６が編組シールド１０４を擦ることを防止することができる。
【００２２】
また、第二テープ１０５の外被１０６に対する滑性よりも第二テープ１０５の編組シールド１０４に対する滑性の方が低く、第二テープ１０５が編組シールド１０４の周囲に巻き付けられて編組シールド１０４と略一体化するため、第二テープ１０５が編組シールド１０４を擦ることは無く、第二テープ１０５と編組シールド１０４とが擦れて編組シールド１０４が断線することは殆ど無い。
【００２３】
更に、フッ素樹脂は耐熱性が高く、フッ素樹脂からなる第二テープ１０５を採用することにより、外被１０６を加硫する時の加硫熱が第二テープ１０５の内側に伝わり難くなるため、芯線１０１が加硫熱に曝されて芯線１０１の電気特性が劣化することを抑制することもできる。
【００２４】
また、外被１０６が第二テープ１０５に密着することが無く、更に第二テープ１０５は編組シールド１０４の周囲に単に巻き付けられているだけなので、フレキシブルケーブル１００を端末加工する時に外被１０６と第二テープ１０５とを簡単に選択的に除去することができるため、フレキシブルケーブル１００の端末加工性も良好となる。
【００２５】
なお、編組シールド１０４の周囲にチューブを被せて外被とすることにより、外被が編組シールド１０４の網目に食い込むことを抑制することもできるが、編組シールド１０４の周囲にチューブを被せる方法は、編組シールド１０４の周囲に外被１０６を押出被覆する方法と比較してフレキシブルケーブル１００が大径化し易いため、フレキシブルケーブル１００の細径化を目指す場合は障害となる。
【００２６】
また、芯線１０１は、例えば、電気信号を伝送する同軸ケーブルであるが、複数本の同軸ケーブルを集合したユニットを芯線１０１とし、これを複数本撚り合わせて撚線１０２としても良い。
【００２７】
以上の通り、本発明によれば、ゴム系材料からなる外被１０６を採用しても、最終的に編組シールド１０４が断線に至り難いフレキシブルケーブル１００を提供することができる。
【符号の説明】
【００２８】
１００  フレキシブルケーブル
１０１  芯線
１０２  撚線
１０３  第一テープ
１０４  編組シールド
１０５  第二テープ
１０６  外被
【図１】
2017130407.tif 000003